(57)【特許請求の範囲】
【請求項１】
２つの壁面が交わる出隅部又は入隅部のコーナー部に沿って貼着される壁装用コーナー材であって、
前記壁装用コーナー材を、
透視が許容される透明性を有する帯状のプラスチックシートで構成するとともに、
前記プラスチックシートの表裏両面のうち少なくとも一方の面の幅方向中央部に配置され、該プラスチックシートに沿って長手方向に連続して付設した溝条の折り曲げ罫線と、
該折り曲げ罫線の両側部に形成され、該折り曲げ罫線に沿って表裏両方向に対して折り曲げ可能に連設した左右一対の平板とを備え、
前記プラスチックシートの表裏両面のうち少なくとも一方の面に付設した折り曲げ罫線の底部に、該底部に形成した凸状部と該凸状部よりも低い凹状部とを該折り曲げ罫線に沿って長手方向に配列した
壁装用コーナー材。
【請求項２】
前記プラスチックシートの表裏両面のうち少なくとも一方の面の幅方向中央部付近に配置され、前記折り曲げ罫線に沿って長手方向に付設された視認可能な色を有する可視線部を備えた
請求項１に記載の壁装用コーナー材。
【請求項３】
前記平板に、
該平板の厚み方向に貫通する多数の孔部を形成するとともに、該各孔部を前記平板に沿って長手方向に所定間隔を隔てて配列した
請求項１又は２に記載の壁装用コーナー材。
【請求項４】
前記平板の表裏両面のうち少なくとも一方の面に、多数の微細な凹部と凸部のうちいずれか一方、あるいは、多数の微細な凹部及び凸部の両方を付設した
請求項１〜３のいずれか一つに記載の壁装用コーナー材。
【請求項５】
前記凹部と前記凸部の付設面積を、単位面積当り１０％以上となるように設定した
請求項４に記載の壁装用コーナー材。
【請求項６】
前記孔部の内周面を、
前記平板の前記壁面に貼着される一方の面から、該平板の他方の面に向けて徐々に内径が大きくなるテーパ面に形成した
請求項３に記載の壁装用コーナー材。
【請求項７】
前記平板の前記壁面に貼着される面に、該平板を該壁面に対して接着する接着手段を備えた
請求項１〜６のいずれか一つに記載の壁装用コーナー材。
【請求項８】
前記プラスチックシートの表裏両面のうち少なくとも一方の面に、該プラスチックシートに沿って長手方向に所定間隔を隔てて目盛り線を付設した
請求項１〜７のいずれか一つに記載の壁装用コーナー材。
【請求項９】
前記折り曲げ罫線を、
前記プラスチックシートに付設される折り曲げ罫線の深さより低い凸状部を、該折り曲げ罫線の底部に沿って長手方向に配列し、
該折り曲げ罫線の肉厚が最も薄い部分を基準として、該部分から離れるに従って徐々に浅くなる溝形状に形成し、
前記折り曲げ罫線の幅を、前記プラスチックシートの肉厚を基準として、１．５倍〜５倍の範囲に含まれる幅に設定し、
前記折り曲げ罫線の深さを、前記プラスチックシートの肉厚を基準として、０．４倍〜０．９５倍の範囲に含まれる深さに設定し、
前記凸状部の高さを、前記折り曲げ罫線の深さを基準として、５％〜９５％の範囲に含まれる高さに設定した
請求項１〜８のいずれか一つに記載の壁装用コーナー材。
【請求項１０】
前記壁装用コーナー材を前記折り曲げ罫線が表側となるように折り曲げた際に形成されるＲ面部を、半径０．２ｍｍ以上のＲ面に設定した
請求項１〜９のいずれか一つに記載の壁装用コーナー材。
【請求項１１】
前記プラスチックシートの肉厚を、０．２ｍｍ〜０．８ｍｍ程度の範囲に含まれる肉厚に設定した
請求項１〜１０のいずれか一つに記載の壁装用コーナー材。
【請求項１２】
２つの壁面が交わる出隅部又は入隅部のコーナー部に沿って貼着される壁装用コーナー材の成形方法であって、
透視が許容される透明性を有する帯状のプラスチックシートを厚み方向に加圧する上下一対の成形ローラのうち少なくとも一方のローラの周面に、該プラスチックシートに対して溝条の折り曲げ罫線を付設するための罫線刃を周設し、
前記成形ローラの罫線刃を前記プラスチックシートの厚み方向に押し付けるとともに、前記上下一対の成形ローラにて前記プラスチックシートを長手方向に搬送しながら、前記折り曲げ罫線を前記プラスチックシートの幅方向中央部に対して長手方向に連続して付設し、
前記プラスチックシートの表裏両面のうち少なくとも一方の面に付設した折り曲げ罫線の底部に、該底部に形成した凸状部と該凸状部よりも低い凹状部とを該折り曲げ罫線に沿って長手方向に配列した
壁装用コーナー材の成形方法。
【発明の詳細な説明】
【技術分野】
【０００１】
この発明は、建物の出隅部や入隅部のコーナー部を壁装材にて仕上げ施工する際、そのコーナー部を良好な状態に施工する際に用いられる壁装用コーナー材及びその成形方法に関する。
【背景技術】
【０００２】
従来、上述のコーナー部を仕上げ施工する際、例えば石膏ボード等で構成される壁材の表面に、壁紙や布地、合成樹脂クロス等の壁装材を貼着する施工方法が主として用いられている。この場合、壁材である石膏ボードのつなぎ部分等の表面は凹凸が多いので、上述の壁装材を貼着する場合、予めパテ等で平坦な表面に仕上げてから貼着するが、出隅部や入隅部のコーナー部は、尖った稜線部分があるため、パテ等により仕上げ施工することが困難であった。
【０００３】
そこで、コーナー部を平坦に仕上げるために工夫がなされた下記特許文献１のコーナー材が提案されている。  
特許文献１のコーナー材は、合成樹脂で形成した帯状シートの幅方向中央部に、該帯状シートに沿って長手方向に蝶番部が成形されている。即ち、このコーナー材を蝶番部に沿って屈曲させ、２つの壁面が交わるコーナー部に沿って両面粘着テープや接着剤等によって貼着し、その上から壁紙やクロス等の壁装材を壁面に貼着してコーナー部の仕上げ施工を行なっていた。
【０００４】
しかし、特許文献１のコーナー材は不透明であるため、コーナー材をコーナー部に貼着した際、例えばコーナー材の一部がコーナー部の壁面から剥離したり、浮き上がったりする等の貼着不良が発生しても、コーナー材のコーナー部に対する貼着具合を作業者の目で確認することできない。
【０００５】
このため、例えば壁紙や布地、合成樹脂クロス等の壁装材を、コーナー材の上からコーナー部に貼着した際、壁装材の貼着位置がずれてしまったり、コーナー部の角部と対応する部分に皺が寄ったりする等の貼着不良が発生しやすいという問題があった。
【先行技術文献】
【特許文献】
【０００６】
【特許文献１】特許第２８８２７５１号公報
【発明の概要】
【発明が解決しようとする課題】
【０００７】
この発明は、建物の出隅部や入隅部のコーナー部を良好な状態に施工することができる壁装用コーナー材及びその成形方法を提供することを目的とする。
【課題を解決するための手段】
【０００８】
この発明は、２つの壁面が交わる出隅部又は入隅部のコーナー部に沿って貼着される壁装用コーナー材であって、前記壁装用コーナー材を、透視が許容される透明性を有する帯状のプラスチックシートで構成するとともに、前記プラスチックシートの表裏両面のうち少なくとも一方の面の幅方向中央部に配置され、該プラスチックシートに沿って長手方向に連続して付設した溝条の折り曲げ罫線と、該折り曲げ罫線の両側部に形成され、該折り曲げ罫線に沿って表裏両方向に対して折り曲げ可能に連設した左右一対の平板とを備え、前記プラスチックシートの表裏両面のうち少なくとも一方の面に付設した折り曲げ罫線の底部に、該底部に形成した凸状部と該凸状部よりも低い凹状部とを該折り曲げ罫線に沿って長手方向に配列したことを特徴とする。
【０００９】
この発明によれば、出隅部や入隅部のコーナー部を良好な状態に施工することができる。  
詳述すると、本発明の壁装用コーナー材をコーナー部に貼着する際、壁装用コーナー材の幅方向中央部を、コーナー部の角部と対応する角度に折り曲げるとともに、その折り曲げた壁装用コーナー材の角部と、コーナー部の角部とを真っ直ぐに一致させて、コーナー部の壁面に対して仮貼着する。
【００１０】
次に、例えば壁装用のパテを、壁装用コーナー材の上からコーナー部に塗り付けるとともに、コーナー部の表面をパテにて平坦に下地仕上げすることで、コーナー部を鋭角に出すことができる。下地仕上げ後、例えば壁紙や布地、合成樹脂クロス等の壁装材をコーナー部に貼着する。また、パテ以外の壁装用接着剤を用いて、壁装用コーナー材をコーナー部に貼着してもよい。
【００１１】
本発明の壁装用コーナー材をコーナー部に仮貼着した際、透明性を有する壁装用コーナー材の表面側から、該壁装用コーナー材が貼着されたコーナー部の壁面を透視することができる。これにより、壁装用コーナー材がコーナー部の壁面に対して密着した状態に貼着されているか否かを、作業者の目で確認することできる。
【００１２】
これにより、例えば壁装用コーナー材の一部がコーナー部の壁面から剥離したり、浮き上がったりする等の貼着不良が発生しても、壁装材を貼着するまえに、コーナー部に仮貼着した壁装用コーナー材の貼着具合を、コーナー部の壁面に対してぴったりと密着した状態に貼着修正することができる。
【００１３】
この結果、壁装材を、出隅部や入隅部のコーナー部に沿って綺麗に貼着することができるとともに、該コーナー部を良好な状態に仕上げ施工することができる。  
また、壁装材を、壁装用コーナー材の上からコーナー部に貼着する際、壁装材の貼着位置がずれたり、コーナー部の角部と対応する部分に皺が寄ったりする等の貼着不良が発生することを防止できる。
【００１４】
しかも、壁装用コーナー材の表側に向けて折り曲げられたた折り曲げ罫線上に貼着される壁装材に破れが生じることを防止できる。 
例えば特許文献１のコーナー材の蝶番部を表側に向けて折り曲げると、そのコーナー材の上に貼着される壁装材が、蝶番部の表側に露出する滑らかな面に沿って密着され、その密着した面全体にパテや接着剤等の接着力が作用するため、蝶番部の上に貼着された壁装材の角部分に大きな引っ張り力が付与される。
【００１５】
したがって、蝶番部と対応する壁装材の角部分に、例えば破れや皺等が発生しやすく、壁装材をコーナー部に沿って良好な状態に貼着することができないという問題があった。また、蝶番部のＲ面が後述する半径０．２ｍｍであっても、上述のような問題が起きる。
【００１６】
これに対して、本発明の壁装用コーナー材は、折り曲げ罫線の底部と凸状部とを長手方向に向けて凹凸状に配列しているため、出隅部のコーナー部等に折り曲げ罫線が表側となるように折り曲げた際、その壁装用コーナー材の上に貼着される壁装材が、折り曲げ罫線の凹凸状を有するＲ面に対して部分的に接触することになる。
【００１７】
この結果、壁装材に付与される引っ張り力が小さく、折り曲げ罫線上に貼着される壁装材に、例えば破れや皺等が発生することを防止できるとともに、壁装材をコーナー部に沿って良好な状態に貼着することができる。
【００１８】
上述の透明性とは、透明及び半透明を含むものであり、例えば出隅部や入隅部のコーナー部に貼着した壁装用コーナー材を介して、コーナー部をなす壁面の透視が許容される透明度である。
【００１９】
また、上述のプラスチックシートは、例えばポリエチレンテレフタレート（ＰＥＴ）、アモルファスポリエチレンテレフタレート（Ａ−ＰＥＴ）、ポリプロピレン（ＰＰ）、塩化ビニル（ＰＶＣ）、生分解性プラスチック等のプラスチックで形成した単体シート、あるいは、上述のプラスチック以外の材料で形成したプラスチックシートやフィルムを複合した複合シートで構成することができる。
【００２０】
また、プラスチックシートを、上述のポリエチレンテレフタレート（ＰＥＴ）を主成分とするプラスチックにて構成すれば、燃焼時において、例えば有毒ガスや刺激臭、有害なガス等が発生することがなく、自然環境に及ぼす影響を少なくすることできる。
【００２１】
また、折り曲げ罫線を、プラスチックシートの表裏両面のうちいずれか一方の面に付設すれば、壁装用コーナー材の表裏両方向への折り曲げ可能な柔軟性が得られるが、プラスチックシートの表裏両面に付設すれば、表裏両方向に対して同等の柔軟性及び折り曲げ性が得られるだけでなく、一方の面に付設するよりも、折り曲げ前の状態に復帰しようとする復元力が低下するので、特許文献１のコーナー材よりも柔軟性がさらに向上する。
【００２２】
さらにまた、本発明の壁装用コーナー材は、冬期の低温時でも折り曲げ性が殆ど変化しない利点がある。  
つまり、本実施形態における折り曲げ罫線は、市販のプラスチック製コーナー材に付設した折り曲げ罫線よりも強度及び折り曲げ性に優れおり、折り曲げ前の状態に復帰する復元力が小さいため、コーナー部と対応する角度に折り曲げた状態を維持することができる。かつ、表裏両面のいずれの方向にも折り曲げ可能であるので、出隅部や入隅部のいずれのコーナー部にも貼着することができる。
【００２３】
この発明の態様として、前記プラスチックシートの表裏両面のうち少なくとも一方の面の幅方向中央部付近に配置され、前記折り曲げ罫線に沿って長手方向に付設された視認可能な色を有する可視線部を備えることができる。
【００２４】
この発明によれば、壁装用コーナー材をコーナー部に貼着した際、該壁装用コーナー材がコーナー部に沿って真っ直ぐに貼着されているか否かを、作業者の目で即確認することができる。
【００２５】
詳述すると、例えば透明なコーナーテープをコーナー部に貼着する際、コーナーテープをコーナー部の角部と対応する角度に折り曲げて貼着する。しかし、その折り曲げたコーナーテープの角部が湾曲していても、コーナーテープの全体及び角部が透明であるため、コーナーテープの角部が湾曲しているか否かを作業者の目で確認することが非常に難しい。
【００２６】
このため、上述の壁装材を貼着した後、コーナー部に貼着されたコーナーテープの角部が湾曲していることを発見する場合が多く、コーナー部を鋭角に施工することができない。また、コーナー部の施工作業をやり直さなければならず、作業に手間が掛かる。
【００２７】
本発明の壁装用コーナー材によれば、該壁装用コーナー材をコーナー部に貼着した際、コーナー部と対応する角度に折り曲げた壁装用コーナー材の角部が湾曲していれば、壁装用コーナー材に付設した可視線部にも湾曲が生じるため、壁装用コーナー材の可視線部を作業者の目で目視するだけで、壁装用コーナー材の角部が湾曲しているか否かを即確認することができる。
【００２８】
これにより、上述の壁装材を貼着するまえに、壁装用コーナー材を、コーナー部に沿って真っ直ぐに貼着した状態に貼着修正することができる。  
この結果、出隅部や入隅部のコーナー部を鋭角に出すことができ、施工精度の向上を図ることができる。
【００２９】
なお、上述の可視線部を付設する付設方法としては、例えば赤色、青色、黒色等のインキで印刷する方法、油性インキをペンや刷毛で塗布する方法、所定の色に着色されたテープを貼着する方法、サンドペーパーやサンドブラストにて表面に微細なキズを加工する方法等が挙げられる。
【００３０】
この発明の態様として、前記平板に、該平板の厚み方向に貫通する多数の孔部を形成するとともに、該各孔部を前記平板に沿って長手方向に所定間隔を隔てて配列することができる。  
この発明によれば、壁装用コーナー材を、コーナー部の壁面に対して強固に貼着することができる。
【００３１】
詳述すると、例えばパテを、コーナー部に貼着した壁装用コーナー材の上から塗り付けた際、平板の孔部に入り込んだパテが、コーナー部の壁面にも塗り付けられるので、そのパテの接着力によって、壁装用コーナー材を、コーナー部をなす２つの壁面に対して強固に貼着することができる。  
この結果、壁装用コーナー材を、建物の出隅部や入隅部のコーナー部に沿って鋭角に貼着することができる。
【００３２】
また、この発明の態様として、前記平板の表裏両面のうち少なくとも一方の面に、多数の微細な凹部と凸部のうちいずれか一方、あるいは、多数の微細な凹部及び凸部の両方を付設することができる。  
この発明によれば、壁装用コーナー材の貼着状態を保つのに必要な大きな接着力が得られる。
【００３３】
詳述すると、平板に付設した凹部や凸部に、例えばパテや接着剤等の壁装用接着剤が絡み付きやすいので、その壁装用接着剤を平坦な面に塗布するよりも、平板に対する壁装用接着剤の接着性が高く、壁装用コーナー材や壁装材の貼着状態を保つのに必要な大きな接着力が得られる。
【００３４】
上述の凹部や凸部を付設する付設方法としては、例えばワイヤーブラシにて平板表面を引っ掻くようにして加工する方法と、４０番〜１００番程度のサンドペーパーにて平板表面を擦るようにして加工する方法と、硬質の粒子を吹き付けるサンドブラストにて平板表面を削るようにして加工する方法と、多数の凸部が周面に設けられたローラにて平板表面を押圧するようにして加工する方法等が挙げられる。これらの方法を機械的に行えば、凹部や凸部を容易に加工することができる。
【００３５】
つまり、上述の方法から選択したいずれか一つの方法にて凹部や凸部を平板表面に加工すれば、その凹部や凸部の表面に上述の壁装用接着剤が絡み付きやすく、該壁装用接着剤による接着性が向上する。  
上述の凹部は、例えば溝部や穴部、窪み部等で構成することができる。凸部は、例えばバリや突起等で構成することができる。
【００３６】
また、この発明の態様として、前記凹部と前記凸部の付設面積を、単位面積当り１０％以上となるように設定することができる。  
この発明によれば、壁装用コーナー材の貼着状態を保つのに必要な接着力が得られる。
【００３７】
詳述すると、凹部や凸部の付設面積を、例えば１ｃｍ２を単位面積として、該単位面積当り１０％以下に設定すると、例えばパテや接着剤等の壁装用接着剤が絡み付きにくくなるので、壁装用コーナー材や壁装材の貼着状態を保つのに必要な接着力が得られない。
【００３８】
ところが、凹部や凸部の付設面積を１０％以上に設定すれば、上述の壁装用接着剤が絡み付きやすくなり、壁装用接着剤の接着力が凹部や凸部を付設した部分全体に作用するため、接着性が向上し、壁装用コーナー材や壁装材の貼着状態を保つのに必要な大きな接着力が得られる。
【００３９】
また、この発明の態様として、前記孔部の内周面を、前記平板の前記壁面に貼着される一方の面から該平板の他方の面に向けて徐々に内径が大きくなるテーパ面に形成することができる。  
この発明によれば、壁装材を、コーナー部に沿って綺麗に貼着することができ、該コーナー部を良好な状態に仕上げ施工することができる。
【００４０】
詳述すると、平板に形成した孔部は、壁面と対向する一方の面から他方の面に向けて徐々に内径が大きくなるテーパ形状を有しているので、パテ等の壁装用接着剤が孔部の奥まで入り込みやすく、また、孔部内に入り込んだ状態に保持されるため、壁装用接着剤による接着力が平板と壁面とが分離される方向に対して積極的に付与されることになる。
【００４１】
これにより、平板が壁面から剥がれたり、浮き上がったりすることを防止できるとともに、コーナー部に対する壁装用コーナー材の接着性が向上する。また、壁装用コーナー材に対する壁装材の接着性も向上する。
【００４２】
この結果、上述の壁装材をコーナー部に貼着する際、該コーナー部に貼着した壁装用コーナー材の貼着位置が変位することを確実に防止できる。  
なお、テーパ面の傾斜角度は、５度〜８０度の範囲に含まれる角度に設定することが好ましい。
【００４３】
また、この発明の態様として、前記平板の前記壁面に貼着される面に、該平板を該壁面に対して接着する接着手段を備えることができる。  
この発明によれば、コーナー部の下地仕上げ時において、コーナー部に貼着された壁装用コーナー材の貼着位置が変位することを防止できる。
【００４４】
詳述すると、壁装用コーナー材を、コーナー部に沿って貼着する際、左右の平板を、コーナー部をなす２つの壁面に対して押し付けるとともに、その平板と壁面との対向面を、例えば感圧性接着剤や粘着剤、両面粘着テープ等の接着手段にて仮貼着する。  
この結果、コーナー部の表面を、壁装用接着剤にて平坦に下地仕上げする施工作業が完了するまで、壁装用コーナー材をコーナー部に対して仮貼着しおくことができる。
【００４５】
また、この発明の態様として、前記プラスチックシートの表裏両面のうち少なくとも一方の面に、該プラスチックシートに沿って長手方向に所定間隔を隔てて目盛り線を付設することができる。  
この発明によれば、壁装用コーナー材を、コーナー部と対応する長さに正確に切って使用することができる。
【００４６】
詳述すると、例えば巻尺や物差等の計測工具を使わなくても、壁装用コーナー材に付設した目盛り線を利用して、コーナー部の寸法を正確に計測することができる。その計測した目盛り線の位置で、壁装用コーナー材を、例えばハサミやナイフ、カッター等の切断具にてコーナー部と対応する長さに切って貼着するので、壁装用コーナー材を無駄なく有効に使用することができる。  
この結果、コーナー部の施工時において、壁装用コーナー材の廃棄量が少なくて済み、施工コストの低減を図ることができる。
【００４７】
また、この発明の態様として、前記折り曲げ罫線を、前記プラスチックシートに付設される折り曲げ罫線の深さより低い凸状部を、該折り曲げ罫線の底部に沿って長手方向に配列し、該折り曲げ罫線の肉厚が最も薄い部分を基準として、該部分から離れるに従って徐々に浅くなる溝形状に形成し、前記折り曲げ罫線の幅を、前記プラスチックシートの肉厚を基準として、１．５倍〜５倍の範囲に含まれる幅に設定し、前記折り曲げ罫線の深さを、前記プラスチックシートの肉厚を基準として、０．４倍〜０．９５倍の範囲に含まれる深さに設定し、前記凸状部の高さを、前記折り曲げ罫線の深さを基準として、５％〜９５％の範囲に含まれる高さに設定することができる。
【００４８】
この発明によれば、強度及び折り曲げ性が良好な折り曲げ罫線が付設された折り曲げ罫線入りシートを得ることができる。  
詳述すると、プラスチックシートに付設される折り曲げ罫線を、該折り曲げ罫線の肉厚が最も薄い部分を基準として、該部分から離れるに従って徐々に浅くなる溝形状に形成する。かつ、折り曲げ罫線の深さより低い凸状部を、折り曲げ罫線の底部に形成するとともに、該折り曲げ罫線の底部に沿って長手方向に配列する。
【００４９】
折り曲げ罫線の幅は、プラスチックシートの肉厚を基準として１．５倍〜５倍の範囲に含まれる幅に形成する。折り曲げ罫線の深さは、プラスチックシートの肉厚を基準として０．４倍〜０．９５倍の範囲に含まれる深さに形成する。凸状部の高さは、折り曲げ罫線の深さより低く、折り曲げ罫線の深さを基準として５％〜９５％の範囲に含まれる高さに形成する。
【００５０】
折り曲げ罫線の幅及び深さはプラスチックシートの肉厚によって異なるが、プラスチックシートの肉厚を基準として、１．５倍〜５倍の範囲に含まれる幅と、０．４倍〜０．９５倍の範囲に含まれる深さに設定するのが望ましい。  
つまり、折り曲げ罫線の幅は、プラスチックシートの肉厚を基準として、１．５倍〜５倍の範囲に含まれる幅に設定することができる。
【００５１】
折り曲げ罫線の幅を１．５倍以下に狭く設定すると、プラスチックシートを、折り曲げ罫線が表側となるようにして折り曲げた際、折り曲げ罫線の曲率半径(アール)が小さくなるので、例えばヒビや割れ等が発生しやすくなる。
【００５２】
折り曲げ罫線の深さは、プラスチックシートの肉厚を基準として、０．４倍〜０．９５倍の範囲に含まれる深さに設定することができる。  
折り曲げ罫線の深さを０．４倍以下に浅く設定すると、上述とは反対に折り曲げ罫線の肉厚が最も薄い部分に形成される残厚部の肉厚が厚くなるので、プラスチックシート自体の復元力や反発力が大きくなり、折り曲げ罫線の折り曲げ性が悪くなる。
【００５３】
また、折り曲げ罫線の深さを０．９５倍以上に深く設定すると、折り曲げ罫線の肉厚が最も薄い部分に形成される残厚部の肉厚が薄くなるので、プラスチックシート自体の復元力や反発力が小さくなる。  
このため、プラスチックシートを所望する方向及び曲率に折り曲げ易くすることができるが、例えば破れや穴等が発生する確率が高くなる。
【００５４】
折り曲げ罫線の肉厚が最も薄い部分に形成される残厚部の平均肉厚は、プラスチックシートの肉厚によって左右されるが、その残厚部の肉厚は、プラスチックシートの肉厚を基準として、１５％〜４０％の範囲に含まれる肉厚に設定することが望ましい。
【００５５】
残厚部の肉厚を１５％以下の薄さに設定すると、残厚部の剛性が弱くなるので、その部分から破れやすくなり、加工精度の関係で穴が発生する確率が高くなる。  
また、残厚部の肉厚を４０％以上の厚さに設定すると、残厚部の剛性が強くなるので、折り曲げ罫線の折り曲げ性が悪くなる。
【００５６】
凸状部は、折り曲げ罫線の肉厚が薄い部分を補強するために設けられており、折り曲げ罫線の肉厚が薄い底部に沿って長手方向に対して連続的又は間欠的に設けている。  
凸状部の幅や高さ、ピッチは、折り曲げ性に優れた折り曲げ罫線を得る上で重要である。つまり、凸状部の例えば幅、長さ等の割合を調整することで、折り曲げ罫線の肉厚が薄い部分の曲げ強度の強弱を調整することができる。  
すなわち、凸状部は、折り曲げ罫線の長手方向の平均肉厚を厚くして、折り曲げ罫線が柔らかく曲がり、折り曲げ性に優れた強度の罫線構造を得るものである。
【００５７】
凸状部の高さは、折り曲げ罫線の深さを基準として、５％〜９５％の範囲に含まれる高さに形成することが望ましい。  
凸状部の高さを５％以下に低く設定すると、折り曲げ罫線の肉厚が薄い部分の曲げ強度を調整する効果が大幅に低下する。
【００５８】
凸状部の幅は、折り曲げ罫線の長手方向に配列される凸状部のピッチによって変化するが、プラスチックシートの肉厚を基準として、１倍〜１０倍の範囲に含まれる幅に形成することが望ましい。また、凸状部を、折り曲げ罫線の長手方向に対して１５度〜９０度の範囲に含まれる角度に交差してもよい。
【００５９】
また、この発明の態様として、前記壁装用コーナー材を前記折り曲げ罫線が表側となるように折り曲げた部分に形成されるＲ面部を、半径０．２ｍｍ以上に設定することができる。  
この発明によれば、壁装材を、壁装用コーナー材の表側に露出する折り曲げ罫線が覆われるように施工した際、該折り曲げ罫線と対応する部分に破れが生じることを防止できる。
【００６０】
詳述すると、壁装用コーナー材を、例えば出隅部のコーナー部に貼着する際、壁装用コーナー材を折り曲げ罫線が表側となるように折り曲げて貼着するが、その折り曲げ罫線の表側に露出するＲ面部を半径０．２ｍｍ以上に設定しているので、壁装用コーナー材の表側に露出する折り曲げ罫線と対応する壁装材の貼着部分に破れが生じることを防止できる。  
この結果、壁装材を、コーナー部に貼着された壁装用コーナー材に沿って綺麗に貼着することができる。
【００６１】
また、この発明の態様として、前記プラスチックシートの肉厚を、０．２ｍｍ〜０．８ｍｍ程度の範囲に含まれる肉厚に設定することができる。  
この発明によれば、強度及び折り曲げ性が良好な折り曲げ罫線をプラスチックシートに付設することができる。
【００６２】
詳述すると、プラスチックシートの肉厚を０．２ｍｍ以下に設定すると、剛性が弱くなるためコーナー部の補強に適さない。また、プラスチックシートの肉厚を０．８ｍｍ以上に設定すれば、剛性が強くなるので、折り曲げ罫線の折り曲げ性が悪くなるだけでなく、上述の壁装材を貼着した際に段差ができるため、コーナー部の見栄えが悪くなる。  
したがって、プラスチックシートの肉厚は、０．２ｍｍ〜０．８ｍｍ程度の範囲に含まれる肉厚に設定するのか好ましい。
【００６３】
また、この発明は、２つの壁面が交わる出隅部又は入隅部のコーナー部に沿って貼着される壁装用コーナー材の成形方法であって、透視が許容される透明性を有する帯状のプラスチックシートを厚み方向に加圧する上下一対の成形ローラのうち少なくとも一方のローラの周面に、該プラスチックシートに対して溝条の折り曲げ罫線を付設するための罫線刃を周設し、前記成形ローラの罫線刃を前記プラスチックシートの厚み方向に押し付けるとともに、前記上下一対の成形ローラにて前記プラスチックシートを長手方向に搬送しながら、前記折り曲げ罫線を前記プラスチックシートの幅方向中央部に対して長手方向に連続して付設し、前記プラスチックシートの表裏両面のうち少なくとも一方の面に付設した折り曲げ罫線の底部に、該底部に形成した凸状部と該凸状部よりも低い凹状部とを該折り曲げ罫線に沿って長手方向に配列することを特徴とする。
【００６４】
この発明によれば、接着性及び折り曲げ性に優れた壁装用コーナー材を安価に製造することができる。  
詳述すると、例えば成形ローラに設けた折り曲げ罫線と対応する刃先形状の罫線刃を、透明性を有する帯状のプラスチックシートの厚み方向に押し付けるとともに、上下一対の成形ローラにて長手方向に搬送しながら、溝条の折り曲げ罫線をプラスチックシートの幅方向中央部に対して長手方向に連続して付設する。
【００６５】
これにより、折り曲げ罫線を、プラスチックシートの一方の面に付設すれば、壁装用コーナー材の表裏両方向への折り曲げ可能な柔軟性が得られるが、プラスチックシートの両方の面に付設すれば、表裏両方向に対して同等の柔軟性及び折り曲げ性が得られる。  
この結果、出隅部又は入隅部のコーナー部を鋭角に出す壁装作業の両方に用いることができる。
【発明の効果】
【００６６】
この発明によれば、出隅部や入隅部のコーナー部を良好な状態に施工することができる。
【図面の簡単な説明】
【００６７】
【図１】第１実施形態の壁装用コーナー材の拡大平面図。
【図２】第１実施形態の壁装用コーナー材の構成説明図。
【図３】第１実施形態の折り曲げ罫線の構成説明図。
【図４】図３に示す折り曲げ罫線のＸ２−Ｘ２端面断面図。
【図５】平板に付設した溝部の構成説明図。
【図６】第１実施形態の壁装用コーナー材を出隅部に貼着した斜視図。
【図７】出隅部のコーナー部を鋭角に出すための施工方法の説明図。
【図８】入隅部のコーナー部を鋭角に出すための施工方法の説明図。
【図９】出隅部と入隅部とが近接している際の施工方法の説明図。
【図１０】第２実施形態の壁装用コーナー材の構成説明図。
【図１１】ローラ型成形機による折り曲げ罫線の表裏付設方法の説明図。
【図１２】第３実施形態の壁装用コーナー材の構成説明図。
【図１３】溝部を他のパターンに形成した他の例の説明図。
【図１４】折り曲げ罫線が表側となるように折り曲げた状態の説明図。
【発明を実施するための形態】
【００６８】
この発明の一実施形態を以下図面に基づいて詳述する。  
図１は第１実施形態の壁装用コーナー材１の拡大平面図である。また、図２は第１実施形態の壁装用コーナー材１の構成説明図であって、図２［ａ］は図１に示す壁装用コーナー材１の部分拡大平面図、図２［ｂ］は［ａ］に示す壁装用コーナー材１のＹ−Ｙ端面断面図である。
【００６９】
図３は第１実施形態の折り曲げ罫線４の構成説明図であって、図３［ａ］は折り曲げ罫線４の部分拡大平面図、図３［ｂ］は［ａ］に示す折り曲げ罫線４のＸ１−Ｘ１線中央断面図である。図４は図３［ａ］に示す折り曲げ罫線４のＸ２−Ｘ２線断面図である。
【００７０】
第１実施形態の壁装用コーナー材１は、出隅部２０や入隅部３０のコーナー部４０（図７、図８参照）に沿って貼着される壁装用のコーナー材であって、透明性を有する帯状のプラスチックシート２と、該プラスチックシート２の幅方向Ｂの中央部に付設した折り曲げ罫線４と、該折り曲げ罫線４によって表裏両方向に対して折り曲げ可能に連設された左右の平板３と、左右の平板３に形成した多数の孔部５とで構成している。
【００７１】
プラスチックシート２の全体は、透視が許容される透明性を有するポリエチレンテレフタレート（ＰＥＴ）にて形成している。すなわち、出隅部２０や入隅部３０のコーナー部４０に貼着した壁装用コーナー材１を介して、コーナー部４０をなす壁面４０ａの透視が許容される透明度に形成している。  
なお、壁面４０ａの透視が可能であれば、透けて見える程度の透明度であってもよく、また、半透明に形成したプラスチックシート２を用いてもよい。
【００７２】
また、プラスチックシート２の表面には、プラスチックシート２を厚み方向に加圧してなる溝条の折り曲げ罫線４を、該プラスチックシート２の幅方向Ｂにおける幅方向中央部に付設するとともに、該プラスチックシート２に沿って長手方向Ａに連続して付設している。
【００７３】
左右の平板３は、折り曲げ罫線４の幅方向両側に、該折り曲げ罫線４を中心として左右対称に形成している。また、平板３には、平板３の厚み方向に貫通する多数の孔部５を、該平板３に沿って長手方向Ａに所定間隔を隔てて配列している。
【００７４】
孔部５の内周面は、平板３の後述するコーナー部４０の壁面４０ａに貼着される裏面から、該平板３の表面に向けて徐々に内径が大きくなるテーパ面に形成している。  
また、平板３の表面全体には、多数の微細な溝部８を不規則な間隔に隔てて付設している。その平板３に付設する溝部８の付設面積は、１ｃｍ２を単位面積として、平板３の表面に対して単位面積当り１０％以上となるように設定している（図１〜図５参照）。  
なお、溝部８の付設面積は、壁装用コーナー材１を介してコーナー部４０をなす壁面４０ａの透視が許容される程度に設定する。
【００７５】
また、平板３の裏面、すなわち、後述するコーナー部４０の壁面４０ａに貼着される裏面には、該平板３を壁面４０ａに対して接着するための接着剤６を、プラスチックシート２に形成した折り曲げ罫線４を中心として左右対称に塗布している。  
さらに、平板３に塗布した接着剤６の接着面には、帯状の離型紙を剥離可能に貼着するとともに、プラスチックシート２に沿って長手方向Ａに連続して貼着している。
【００７６】
また、プラスチックシート２の表裏両面における幅方向中央部には、上述の折り曲げ罫線４に沿って、壁装用コーナー材１を、出隅部２０や入隅部３０のコーナー部４０と対応する長さに切断する際に目安となる目盛り線７Ｘを付設している。  
詳述すると、目盛り線７Ｘは、平板３の折り曲げ罫線４が形成された折り曲げ側縁部に沿って配置され、該折り曲げ側縁部に沿って長手方向Ａに対して所定間隔を隔てて１ｃｍ〜１０ｃｍ単位で付設している。
【００７７】
また、プラスチックシート２の表裏両面における幅方向中央部には、上述の折り曲げ罫線４に沿って、作業者の目によって視認が許容される色に配色（具体的には、黒色）した可視線部７Ｙを配置している。  
詳述すると、可視線部７Ｙは、平板３の折り曲げ罫線４が形成された折り曲げ側縁部に沿って配置され、該折り曲げ側縁部に沿って長手方向Ａに連続して付設している。  
なお、可視線部７Ｙを、上述の折り曲げ罫線４に沿って、プラスチックシート２の長手方向Ａに対して部分的に付設してもよい。
【００７８】
上述のプラスチックシート２は、図３、図４に示すように、ポリエチレンテレフタレート（ＰＥＴ）にて０．２ｍｍ〜０．８ｍｍの範囲に含まれる肉厚Ｔ１に形成している。
【００７９】
また、プラスチックシート２に付設した折り曲げ罫線４は、該プラスチックシート２の長手方向Ａから見て滑らかな曲面形状に形成した断面半円形状の曲面部４ａと、曲面部４ａの底部中央に形成した幅方向Ｂから見て滑らかな断面半円形状の凸状部４ｂ（図３［ａ］，［ｂ］参照）とで構成している。
【００８０】
凸状部４ｂの前後には、折り曲げ罫線４の深さＤ１と同一の第１溝部４ｃを形成している。また、凸状部４ｂの上方には、第１溝部４ｃよりも浅い第２溝部４ｄを形成している。第１溝部４ｃと第２溝部４ｄは、折り曲げ罫線４の底部に沿って長手方向Ａに対して交互に配列している。
【００８１】
曲面部４ａは、折り曲げ罫線４の幅方向中央部に設定した仮想中心点Ｐを中心として滑らかな曲率半径に形成するとともに、折り曲げ罫線４の肉厚が最も薄い部分に形成される残厚部４ｅを基準として、残厚部４ｅから離れるに従って徐々に浅くなるようにプラスチックシート２の長手方向Ａから見て滑らかな断面半円形状に形成している。  
すなわち、曲面部４ａの曲率半径が小さいと、折り曲げ罫線４の内側にヒビが発生しやすいので、曲率半径が大きい折り曲げ罫線４を加工することが望ましい。
【００８２】
凸状部４ｂは、折り曲げ罫線４の長手方向Ａと直交して幅方向Ｂに向けて形成するとともに、折り曲げ罫線４の底部に沿って長手方向Ａに対して所定間隔を隔てて多数配列している。  
折り曲げ罫線４の幅Ｗ１は、プラスチックシート２の肉厚Ｔ１を基準として、１．５倍〜５倍の範囲に含まれる幅に形成している（図４参照）。
【００８３】
折り曲げ罫線４の幅Ｗ１を１．５倍以下に狭く設定すると、プラスチックシート２を、折り曲げ罫線４が表側となるように折り曲げた際、折り曲げ罫線４の曲率半径(アール)が小さくなるので、例えばヒビや割れ等が発生しやすくなる。  
また、プラスチックシート２を、折り曲げ罫線４が内側となるように折り曲げた際、折り曲げ罫線４の幅方向両角部が互いに当接するので、プラスチックシート２の折り曲げ性が悪くなる。
【００８４】
折り曲げ罫線４の幅Ｗ１を５倍以上に広く設定すると、罫線加工用の罫線刃（図示せず）をプラスチックシート２に押圧する際の圧力が多大となるため、折り曲げ罫線４の加工精度が悪くなる。  
また、折り曲げ罫線４の幅Ｗ１が広いと、折り曲げ罫線４が外部に露呈してしまうため、折り曲げ部分の体裁が見苦しくなる。さらに、折り曲げ罫線４の折り曲げ位置が幅方向に変位しやすく、プラスチックシート２を折り曲げ罫線４に沿って精度よく折り曲げることができない。
【００８５】
折り曲げ罫線４の深さＤ１は、プラスチックシート２の肉厚Ｔ１を基準として、０．４倍〜０．９５倍の範囲に含まれる深さに形成している（図４参照）。  
折り曲げ罫線４の深さＤ１を０．４倍以下に浅く設定すると、上述とは反対に折り曲げ罫線４の肉厚が最も薄い部分に形成される残厚部４ｅの肉厚Ｔ２が厚くなるので、プラスチックシート２自体の復元力や反発力が大きくなり、折り曲げ罫線４の折り曲げ性が悪くなる。
【００８６】
折り曲げ罫線４の深さＤ１を０．９５倍以上に深く設定すると、折り曲げ罫線４の肉厚が最も薄い部分に形成される残厚部４ｅの肉厚Ｔ２が薄くなるので、プラスチックシート２自体の復元力や反発力が小さくなる。
【００８７】
残厚部４ｅの肉厚Ｔ２は、プラスチックシート２の肉厚Ｔ１を基準として、０．０５倍〜０．５倍の範囲に含まれる肉厚に形成している（図４参照）。  
残厚部４ｅの肉厚Ｔ２を０．０５倍以下の薄さに設定すると、残厚部４ｅの剛性が弱くなるので、その部分から破れやすくなり、加工精度の関係で穴が発生する確率が高くなる。  
また、残厚部４ｅの肉厚Ｔ２を０．５倍以上の厚さに設定すると、残厚部４ｅの剛性が強くなるので、折り曲げ罫線４の折り曲げ性が悪くなる。
【００８８】
凸状部４ｂの高さＨは、折り曲げ罫線４の深さＤ１を基準として、５％〜９５％の範囲に含まれる高さに形成している。  
凸状部４ｂの高さＨを５％以下に低く設定すると、折り曲げ罫線４の肉厚Ｔ１が薄い部分の曲げ強度を調整する効果が大幅に低下する。
【００８９】
凸状部４ｂの幅Ｗ２は、折り曲げ罫線４の長手方向Ａに配列される凸状部４ｂのピッチによって変化するが、プラスチックシート２の肉厚Ｔ１を基準として、１倍〜１０倍の範囲に含まれる幅Ｗ２に形成している。  
また、凸状部４ｂは、折り曲げ罫線４の長手方向Ａに対して１５度〜９０度の範囲に含まれる角度に交差してもよく、その交差角度を小さくすれば、折り曲げ時の反発力が弱くなる利点がある。
【００９０】
凸状部４ｂの幅Ｗ２を１倍以下に狭く設定すると、残厚部４ｅの幅が広くなるので、凸状部４ｂによる補強効果が低くなり、プラスチックシート２自体の強度が著しく低下する。  
凸状部４ｂの幅Ｗ２を１０倍以上に広く設定すると、残厚部４ｅの幅が狭くなるので、凸状部４ｂによる補強効果が高くなり、プラスチックシート２自体の復元力や反発力が大きくなるため、折り曲げ罫線４の折り曲げ性が悪くなる。  
上述の結果、凸状部４ｂと残厚部４ｅの幅は、１対１に設定することが望ましいが、プラスチックシート２の肉厚Ｔ１や、折り曲げ罫線４の強度及び折り曲げ性に応じて調整することができる。
【００９１】
また、凸状部４ｂの突出側角部ｒ１は、０．０１ｍｍ以上の滑らかなＲ面に形成している（図３［ｂ］参照）。  
凸状部４ｂの突出側角部ｒ１を、０．０１ｍｍ以上のＲ面に形成すれば、プラスチックシート２を折り曲げ罫線４に沿って折り曲げた際、その凸状部４ｂに、例えば欠けやヒビ等が発生することを抑える効果が得られる。  
また、プラスチックシート２を折り曲げ罫線４が表側となるように折り曲げた際、凸状部４ｂの突出側に角張った部分がなく、指先が引っ掛かりにくくなるので、良好な手触り感が得られる。
【００９２】
また、折り曲げ罫線４の幅方向両角部ｒ２は、０．０１ｍｍ以上の滑らかなＲ面に形成している（図４参照）。  
折り曲げ罫線４の幅方向両角部ｒ２を、０．０１ｍｍ以上のＲ面に形成すれば、プラスチックシート２を折り曲げ罫線４に沿って折り曲げた際、折り曲げ罫線４の肉厚が薄い部分に、例えばヒビや割れ、粉末等が発生することを防止できる。
【００９３】
次に、図５を用いて、上述の溝部８を平板３の表面に付設する付設方法を説明する。  
図５は平板３に付設された溝部８の構成説明図であって、図５［ａ］は平板３に付設された溝部８の拡大断面図、図５［ｂ］は溝部８が付設された平板３の部分拡大平面図、図５［ｃ］は溝部８の加工方法を説明する側面図である。
【００９４】
つまり、図５［ｃ］に示すように、折り曲げ罫線４をプラスチックシート２の表面に付設してから、平板３の表面を、プラスチックシート２より硬質のワイヤーブラシ１０にて引っ掻くようにして加工するので、凹部となる多数の微細な溝部８を不規則な向き及び間隔に隔てて加工することができる。  
また、引っ掻き時において、凸部となるバリ８ａが溝部８の一側縁部や両側縁部、周縁部に突出する（図５［ａ］参照）。
【００９５】
上述の方法で加工した溝部８の深さＤ2は、０．０１ｍｍ〜０．１ｍｍ程度の範囲に含まれる深さに形成している。また、溝部８の幅Ｗ3は、０．０１ｍｍ〜０．２ｍｍ程度の範囲に含まれる幅に形成している。  
また、バリ８ａの高さＨ2は、０．００５ｍｍ〜０．１５ｍｍ程度の範囲に含まれる高さに形成している（図５［ａ］参照）。
【００９６】
なお、上述の溝部８を、平板３の表面に加工してから折り曲げ罫線４を付設してもよい。また、溝部８を、平板３の表面全体に対してほぼ均等な間隔を隔てて付設してもよい。さらにまた、溝部８を、平板３の裏面全体に付設してもよい。  
加えて、バリ８ａは、平板３の一部のみに設けてもよく、例えばパテ５０等を塗布する必要がある部分のみでもよい。
【００９７】
次に、上述の壁装用コーナー材１を用いて、図７に示す出隅部２０のコーナー部４０を鋭角に出すための施工方法を説明する。  
先ず、図６、図７に示すように、壁装用コーナー材１の折り曲げ罫線４を、出隅部２０における２つの壁面４０ａが交わるコーナー部４０の角度に合わせて表側に向けて突出するように折り曲げる。
【００９８】
コーナー部４０と対応する角度に折り曲げてなる壁装用コーナー材１の角部と、コーナー部４０の角部とを真っ直ぐに一致させて、左右の平板３を、コーナー部４０をなす２つの壁面４０ａに対して押し付けるとともに、該平板３の裏面に塗布した接着剤６（図２参照）にて２つの壁面４０ａに沿って仮貼着する。
【００９９】
これにより、出隅部２０のコーナー部４０を鋭角に出すことができる。また、コーナー部４０の表面をパテ５０にて平坦に下地仕上げする施工作業が完了するまで、壁装用コーナー材１の貼着位置が変位することを防止できる。
【０１００】
仮貼着した壁装用コーナー材１は、透明性を有するプラスチックシート２で構成しているため、壁装用コーナー材１の表面側からコーナー部４０の壁面４０ａを透視することができる。これにより、壁装用コーナー材１がコーナー部４０の壁面４０ａに対して密着した状態に貼着されているか否かを、作業者の目で確認することできる（図６参照）。
【０１０１】
例えば壁装用コーナー材１の一部がコーナー部４０の壁面４０ａから剥離したり、浮き上がったりする等の貼着不良が発生しても、例えば壁紙や布地、合成樹脂クロス等の壁装材（図示せず）を貼着するまえに、コーナー部４０に仮貼着した壁装用コーナー材１の貼着具合を、コーナー部４０の壁面４０ａに対してぴったりと密着した状態に貼着修正することができる。
【０１０２】
また、壁装用コーナー材１をコーナー部４０に貼着した際、コーナー部４０と対応する角度に折り曲げた壁装用コーナー材１の角部が湾曲していれば、壁装用コーナー材１に付設した可視線部７Ｙにも湾曲が生じるため、壁装用コーナー材１の可視線部７Ｙを作業者の目で目視するだけで、壁装用コーナー材１の角部が湾曲しているか否かを即確認することができる。
【０１０３】
これにより、壁装材を貼着するまえに、壁装用コーナー材１を、コーナー部４０に沿って真っ直ぐに貼着された状態に貼着修正することができる。  
この結果、出隅部２０や入隅部３０のコーナー部４０を鋭角に出すことができ、施工精度の向上を図ることができる。
【０１０４】
次に、パテ５０を、壁装用コーナー材１の上からコーナー部４０に塗布するとともに、壁装用コーナー材１の平板３の表面全体に対してほぼ均等に塗り付ける。また、左右の平板３に形成した多数の孔部５にも塗り込むと同時に、平板３の端部と壁面４０ａの段差部分にも塗り付けて、平坦な状態に下地仕上げする。
【０１０５】
この後、上述の壁装材（図示せず）を、コーナー部４０に貼着した壁装用コーナー材１の上から、コーナー部４０をなす２つの壁面４０ａに沿って貼着するので、出隅部２０のコーナー部４０を鋭角に仕上げ施工することができる。
【０１０６】
さらに、孔部５に入り込んだパテ５０は、壁面４０ａに塗り付けられたパテ５０と一体的に結合するため、壁装用コーナー材１を、コーナー部４０をなす２つの壁面４０ａに対して強固に貼着することができる。  
また、パテ５０にて下地仕上げる際に、パテ５０を何回も塗り直す手間が省け、パテ塗布作業の短縮を図ることができる。
【０１０７】
さらにまた、孔部５に流入したパテ５０は、平板３に表面に塗り付けられるパテ５０と一体的に結合するため、壁装材を、平板３の表面に対して強固に貼着することができる。
【０１０８】
以上のように、壁装用コーナー材１を、出隅部２０のコーナー部４０と対応する角度に折り曲げるとともに、コーナー部４０と対応する角度に折り曲げてなる壁装用コーナー材１の角部と、コーナー部４０の角部とを真っ直ぐに一致させて、該壁装用コーナー材１をコーナー部４０に沿って仮貼着するので、コーナー部４０を鋭角に出すことができる。  
なお、壁装用コーナー材１は、ロール状に巻回して施工現場等に持ち運ぶことができる。
【０１０９】
また、壁装用コーナー材１の折り曲げ罫線４は、該壁装用コーナー材１の表裏両方向への折り曲げが許容される構造を有しているので、壁装用コーナー材１の用途が、図７に示す出隅部２０のみに限定されず、図８に示す入隅部３０のコーナー部４０を鋭角に出す作業の両方に用いることができる。
【０１１０】
また、壁装用コーナー材１の折り曲げ罫線４は、折り曲げ前の状態に復帰しようとする復元力が特許文献１のコーナー材よりも弱いので、壁装用コーナー材１を、出隅部２０や入隅部３０のコーナー部４０をなす２つの壁面４０ａに沿った折り曲げ角度に折り曲げられた状態に保つことができる。
【０１１１】
つまり、特許文献１のコーナー材のように、例えばパテ５０や接着剤等が硬化するまで、壁装用コーナー材１の折り曲げ状態を保持しておく必要がなく、壁装材をコーナー部４０に貼着する際の作業効率が大幅に向上し、施工期間の短縮を図ることができる。  
さらに、上述の壁装材を、コーナー部４０に貼着した壁装用コーナー材１の上から、コーナー部４０に沿って鋭角に貼着するので、コーナー部４０を良好な状態に施工することができる。
【０１１２】
また、平板３に形成した孔部５は、壁面４０ａと対向する一方の裏面から他方の表面に向けて徐々に内径が大きくなるテーパ形状を有しているので、パテ５０が孔部５の奥まで入り込みやすく、また、孔部５に入り込んだパテ５０と、壁面４０ａに塗り付けられたパテ５０とが一体的に結合した際、パテ５０による貼着抵抗が平板３と壁面４０ａとが分離される方向に対して積極的に付与されることになる。
【０１１３】
これにより、平板３が壁面４０ａから剥がれたり、浮き上がったりすることを防止できるとともに、コーナー部４０に対する壁装用コーナー材１の接着性が向上する。  
この結果、壁装材をコーナー部４０に貼着する際、壁装用コーナー材１の貼着位置が変位することを確実に防止でき、壁装材を、コーナー部４０に沿って綺麗に貼着することができる。
【０１１４】
また、例えば巻尺や物差等の計測工具を使わなくても、壁装用コーナー材１に付設した目盛り線７Ｘを利用して、コーナー部４０の寸法を正確に計測することができるので、上述のように計測した目盛り線７Ｘに沿って、壁装用コーナー材１を例えばハサミやナイフ、カッター等の切断具にて幅方向に切断すれば、壁装用コーナー材１を無駄なく有効に使用することができる。
【０１１５】
したがって、壁装用コーナー材１を、コーナー部４０と対応する長さや幅に正確に切って使用することができる。また、コーナー部４０の施工時において、壁装用コーナー材１の廃棄量が少なくて済み、施工コストの低減を図ることができる。
【０１１６】
また、壁装用コーナー材１を、出隅部２０のコーナー部４０に貼着する際、壁装用コーナー材１を折り曲げ罫線４が表側となるように折り曲げて貼着するが、その折り曲げ罫線４の表側に露出するＲ面部９を半径０．２ｍｍ以上に設定しているので（図１４参照）、壁装材を、コーナー部４０に貼着した壁装用コーナー材１が覆われるように施工しても、壁装材の前記Ｒ面部９と対応する部分に破れが生じることを防止できる。  
したがって、壁装材を、コーナー部４０に貼着した壁装用コーナー材１のＲ面に沿って綺麗に貼着することができる。
【０１１７】
さらに、折り曲げ罫線４の凹状を有する曲面部４ａの底部と凸状部４ｂとを長手方向Ａに向けて凹凸状に配列しているので、折り曲げ罫線４が表側となるように折り曲げた際、その壁装用コーナー材１の上に貼着される壁装材が、折り曲げ罫線４の凹凸状を有するＲ面部９に対して部分的に接触することになる（図１４参照）。
【０１１８】
このため、壁装材に付与される引っ張り力が小さく、折り曲げ罫線４と対応する壁装材の角部分に、例えば破れや皺等が発生することを防止できるとともに、壁装材をコーナー部４０に沿って良好な状態に貼着することができる。
【０１１９】
次に、上述の壁装用コーナー材１を用いて、図８に示す入隅部３０のコーナー部４０を鋭角に出すための施工方法を説明する。  
先ず、壁装用コーナー材１の折り曲げ罫線４を、入隅部３０における２つの壁面４０ａが交わるコーナー部４０の角度に合わせて裏側に向けて突出するように折り曲げる。
【０１２０】
コーナー部４０と対応する角度に折り曲げてなる壁装用コーナー材１の角部と、コーナー部４０の角部とを真っ直ぐに一致させて、左右の平板３を、コーナー部４０をなす２つの壁面４０ａに対して押し付けるとともに、該平板３の裏面に塗布した接着剤６にて２つの壁面４０ａに沿って仮貼着する。
【０１２１】
仮貼着した壁装用コーナー材１は、透明なプラスチックシート２で構成しているため、壁装用コーナー材１の表面側からコーナー部４０の壁面４０ａを透視することができる。これにより、壁装用コーナー材１がコーナー部４０の壁面４０ａに対して密着した状態に貼着されているか否かを、作業者の目で確認することできる。
【０１２２】
例えば壁装用コーナー材１の一部がコーナー部４０の壁面４０ａから剥離したり、浮き上がったりする等の貼着不良が発生しても、壁装材を貼着するまえに、コーナー部４０に仮貼着した壁装用コーナー材１の貼着具合を、コーナー部４０の壁面４０ａに対してぴったりと密着した状態に貼着修正することができる。
【０１２３】
また、壁装用コーナー材１をコーナー部４０に貼着した際、コーナー部４０と対応する角度に折り曲げた壁装用コーナー材１の角部が湾曲していれば、壁装用コーナー材１に付設した可視線部７Ｙにも湾曲が生じるため、壁装用コーナー材１の可視線部７Ｙを作業者の目で目視するだけで、壁装用コーナー材１の角部が湾曲しているか否かを即確認することができる。
【０１２４】
これにより、壁装材を貼着するまえに、壁装用コーナー材１を、コーナー部４０に沿って真っ直ぐに貼着された状態に貼着修正することができる。  
この結果、出隅部２０や入隅部３０のコーナー部４０を鋭角に出す施工作業の精度向上を図ることができる。
【０１２５】
次に、パテ５０を、壁装用コーナー材１の上からコーナー部４０に塗布するとともに、左右の平板３の表面全体に対してほぼ均等に塗り付ける。また、平板３に形成した多数の孔部５にも塗り込むと同時に、平板３の端部と壁面４０ａの段差部分にも塗り付けて、平坦な状態に下地仕上げする。
【０１２６】
この後、上述の壁装材を、コーナー部４０に貼着した壁装用コーナー材１の上から、コーナー部４０をなす２つの壁面４０ａに貼着するので、入隅部３０のコーナー部４０を鋭角に仕上げ施工することができる。
【０１２７】
次に、幅広の壁装用コーナー材１を貼着するためのスペースが確保できない際の施工方法を説明する。図９は出隅部２０と入隅部３０とが近接している際の施工方法の説明図である。
【０１２８】
図９に示すように、出隅部２０が近接する入隅部３０のコーナー部４０に、幅広の壁装用コーナー材１を貼着するためのスペースが確保できない場合、上述の切断具により、壁装用コーナー材１に連設された一方又は両方の平板３を部分的に切除して、壁装用コーナー材１を、入隅部３０のコーナー部４０に対して貼着が許容される寸法に幅調整する。
【０１２９】
次に、幅調整した壁装用コーナー材１を、入隅部３０のコーナー部４０と対応する角度に折り曲げるとともに、コーナー部４０と対応する角度に折り曲げてなる壁装用コーナー材１の角部と、コーナー部４０の角部とを真っ直ぐに一致させて、該壁装用コーナー材１をコーナー部４０に沿って仮貼着する。
【０１３０】
仮貼着した際、透明性を有する壁装用コーナー材１を介して、該壁装用コーナー材１がコーナー部４０の壁面４０ａに対して密着した状態に貼着されているか否かを、作業者の目で確認する。もし、上述のような貼着不良が発生しても、壁装材を貼着するまえに、壁装用コーナー材１の貼着具合を、コーナー部４０の壁面４０ａに対してぴったりと密着した状態に貼着修正することができる。
【０１３１】
また、壁装用コーナー材１の可視線部７Ｙを作業者の目で目視するだけで、壁装用コーナー材１の角部が湾曲しているか否かを即確認することができる。もし、上述のような湾曲が壁装用コーナー材１の角部に生じても、壁装材を貼着するまえに、壁装用コーナー材１を、コーナー部４０に沿って真っ直ぐに貼着された状態に貼着修正することができる。  
この結果、入隅部３０のコーナー部４０を鋭角に出すことができ、良好な状態に仕上げ施工することができる。
【０１３２】
（第２実施形態）  
次に、図１０を用いて、折り曲げ罫線４を、プラスチックシート２の表裏両面に付設した第２実施形態の壁装用コーナー材１について説明する。  
図１０は第２実施形態の壁装用コーナー材１の構成説明図であって、折り曲げ罫線４を表裏両面に付設した壁装用コーナー材１の端面断面図である。  
なお、第２実施形態において、前記第１実施形態と同一構成の部分は同一の符号を記してその詳細な説明を省略する。
【０１３３】
前記実施形態の折り曲げ罫線４を、プラスチックシート２の表面のみに付設すれば、壁装用コーナー材１の表裏両方向への折り曲げ可能な柔軟性が得られるが、図１０示すように、同一構成の折り曲げ罫線４をプラスチックシート２の表裏両面に付設すれば、表裏両方向に対して同等の柔軟性及び折り曲げ性が得られるだけでなく、一方の表面のみに付設するよりも、折り曲げ前の状態に復帰しようとする復元力が低下するので、特許文献１のコーナー材よりも柔軟性がさらに向上する。
【０１３４】
この結果、壁装用コーナー材１の用途が、図７に示す出隅部２０のみに限定されず、図８に示す入隅部３０のコーナー部４０を鋭角に出す作業の両方に用いることができるとともに、前記第１実施形態と略同等の作用及び効果を奏することができる。
【０１３５】
上述の折り曲げ罫線４をプラスチックシート２の表裏両面に付設する際には、図１１に示すローラ型成形機１１を用いて付設する。  
図１１はローラ型成形機１１による折り曲げ罫線２の表裏付設方法の説明図である。なお、図示のローラ方式だけでなく帯状の罫線刃（図示せず）を押し付けて付設するもよい。
【０１３６】
詳述すると、帯状に連続する長尺のプラスチックシート２を、折り曲げ罫線４と対応する刃先形状の罫線刃１２ａが設けられた上下一対の成形ローラ１２の間に挟み込みながら長手方向Ａに連続搬送するとともに、成形ローラ１２の周面中央部に設けた罫線刃１２ａを、プラスチックシート２の表裏両面の幅方向中央部に押し付ける。
【０１３７】
上下成形ローラ１２の罫線刃１２ａによって、プラスチックシート２の幅方向中央部を肉厚が薄くなるように加圧して、図３、図４に示すような溝条の折り曲げ罫線４を、プラスチックシート２の表裏両面に沿って長手方向Ａに連続して付設する。
【０１３８】
なお、折り曲げ罫線４を、プラスチックシート２の表面のみに付設する場合（図２［ｂ］参照）、プラスチックシート２の裏面側を、罫線刃１２ａがない成形ローラ１２にて支持する。また、折り曲げ罫線４を付設する工程の前段又は後段にて、孔部５と溝部８をプラスチックシート２に加工してもよい。
【０１３９】
（第３実施形態）  
次に、図１２を用いて、凹状の窪み部４ｆを、折り曲げ罫線２の肉厚が薄い部分と対応してプラスチックシート２の裏面側に付設した第３実施形態の壁装用コーナー材１について説明する。  
図１２は第３実施形態の壁装用コーナー材１の構成説明図であって、図１２［ａ］は窪み部４ｆを付設した折り曲げ罫線４の中央断面図、図１２［ｂ］は［ａ］に示す窪み部４ｆを付設した折り曲げ罫線４のＸ３−Ｘ３線断面図である。  
なお、第３実施形態において、前記第１実施形態と同一構成の部分は同一の符号を記してその詳細な説明を省略する。
【０１４０】
上述の窪み部４ｆは、折り曲げ罫線２を付設する際、上述のローラ型成形機１１にてプラスチックシート２を残厚部４ｅの肉厚が薄くなるように厚み方向に加圧して、プラスチックシート２の折り曲げ罫線２と対応する部分の組成物を高密度に圧縮した際に生じる該プラスチックシート２自体の歪によって形成する。
【０１４１】
また、窪み部４ｆは、０．１ｍｍ程度の深さＤ３に形成するとともに、折り曲げ罫線２の肉厚が薄い第１溝部３と対応する反対側の裏面側に形成している。  
折り曲げ罫線２の幅Ｗ１は、プラスチックシート２の肉厚Ｔ１を基準として、１．５倍〜５倍の範囲に含まれる幅に形成している（図４参照）。
【０１４２】
つまり、折り曲げ罫線２の幅Ｗ１を１．５倍以下に狭く設定すると、壁装用コーナー材１を、折り曲げ罫線２が外側となるように折り曲げて、出隅部２０のコーナー部４０に貼着した際（図７参照）、折り曲げ罫線２の曲率半径(アール)が小さくなるので、例えばヒビや割れ等が発生しやすくなる。
【０１４３】
また、壁装用コーナー材１を、折り曲げ罫線２が内側となるように折り曲げて、入隅部３０のコーナー部４０に貼着した際（図８参照）、折り曲げ罫線２の幅方向両角部が互いに当接するので、壁装用コーナー材１の折り曲げ性が悪くなる。
【０１４４】
したがって、折り曲げ罫線２の幅Ｗ１を、上述の範囲に含まれる幅に形成すれば、壁装用コーナー材１を、折り曲げ罫線２が外側となるように折り曲げた際、窪み部４ｆによって、壁装用コーナー材１自体の復元力や反発力が弱められる。  
また、壁装用コーナー材１を、折り曲げ罫線２が内側となるように折り曲げた際、窪み部４ｆが内側に向けて引っ張られるため、例えばヒビや割れ、粉末等が発生することを防止できる。
【０１４５】
これにより、壁装用コーナー材１を、出隅部２０や入隅部３０のコーナー部４０の角部と対応する角度に折り曲げ易くすることができるとともに、その折り曲げた壁装用コーナー材１の角部と、コーナー部４０の角部とを一致させて真っ直ぐに貼着することができる。  
この結果、コーナー部４０を鋭角に出すことができるとともに、コーナー部４０を良好な状態に仕上げ施工することができるので、前記第１実施形態と略同等の作用及び効果を奏することができる。
【０１４６】
次に、図１３を用いて、上述の溝部８を、図５［ｂ］に示すパターン以外のパターンに形成した他の実施例について説明図する。  
なお、他の実施例において、前記実施形態と同一構成の部分は同一の符号を記してその詳細な説明を省略する。
【０１４７】
図１３［ａ］は線状の溝部８ｂを斜め交差して左右に配列したパターンである。また、図１３［ｂ］は線状の溝部８ｂ縦横に交差して格子状に配列したパターンである。また、図１３［ｃ］は溝部８ｂに代えて微細な穴部８ｃをサンドブラストにて形成したパターンである。また、図１３［ｄ］は線状の溝部８ｂをプラスチックシート２の長手方向Ａと平行して並列に配列したパターンである。また、図１３［ｅ］は凹状の窪み部８ｄを等間隔に隔てて配列したパターンである。あるいは、窪み部８ｄに代えて凸状の突起（図示せず）を配列してもよい。
【０１４８】
つまり、溝部８ｂや穴部８ｃ、窪み部８ｄを、上述のようなパターンに配列してもよく、壁装用コーナー材１に対するパテ５０の接着性が高くなり、前記第１実施形態と略同等の作用及び効果を奏することができる。なお、上述のパターン以外のパターンに配列してもよい。
【０１４９】
この発明の構成と、前記実施形態との対応において、  
この発明の凹部は、実施形態の溝部８，８ｂ、穴部８ｃ、窪み部８ｄに対応し、  
以下同様に、  
凸部は、バリ８ａや突起等に対応し、  
凹状部は、凹状を有する曲面部４ａの底部に対応するも、
この発明は、上述の実施形態の構成のみに限定されるものではなく、例えば平板に孔部がないもの等の請求項に示される技術思想に基づいて応用することができ、多くの実施の形態を得ることができる。
【０１５０】
本実施形態では、プラスチックシート２の幅方向Ｂ全体を透明に形成した構成を説明したが、プラスチックシート２の幅方向Ｂの少なくとも一部を透明に形成してもよい。例えばプラスチックシート２の幅方向中央部、幅方向右側部、幅方向左側部のうちいずれか一つの部分、あるいは、中央部と右側部、右側部と左側部等の複数部分を透明に形成してもよい。
【０１５１】
また、孔部５を、例えば三角形、四角形、五角形、六角形、星形、菱形等の形状に形成してもよく、丸形状に比べて孔内周の表面積が大きくなるので、パテ５０の接着性が高くなり、壁装用コーナー材１を、コーナー部４０に対して強固に貼着することができる。
【符号の説明】
【０１５２】
１…壁装用コーナー材
２…プラスチックシート
３…平板
４…折り曲げ罫線
４ａ…曲面部
４ｂ…凸状部
４ｃ…第１溝部
４ｄ…第２溝部
４ｅ…残厚部
４ｆ…窪み部
５…孔部
６…接着剤
７Ｘ…目盛り線
７Ｙ…可視線部
８…溝部
８ａ…バリ
８ｂ…溝部
８ｃ…穴部
８ｄ…窪み部
９…Ｒ面部
１０…ワイヤーブラシ
１１…ローラ型成形機
１２…成形ローラ
１２ａ…罫線刃
２０…出隅部
３０…入隅部
４０…コーナー部
４０ａ…壁面
５０…パテ
【図１】
0005965689.tif 000002
【図２】
0005965689.tif 000003
【図３】
0005965689.tif 000004
【図４】
0005965689.tif 000005
【図５】
0005965689.tif 000006
【図６】
0005965689.tif 000007
【図７】
0005965689.tif 000008
【図８】
0005965689.tif 000009
【図９】
0005965689.tif 000010
【図１０】
0005965689.tif 000011
【図１１】
0005965689.tif 000012
【図１２】
0005965689.tif 000013
【図１３】
0005965689.tif 000014
【図１４】
0005965689.tif 000015